(57)【要約】  本発明は、注射器結合型安全組立体及びこれを含む安全注射器に関するものであって、本発明の一側面によれば、注射器が進入するための空間部及び前記注射器の針が通過する第１貫通孔を有するカバーと、針が装着された注射器のハブが挿入される第２貫通孔を有し、前記カバーの内部で第１貫通孔と近くなる方向に前進及び第１貫通孔と遠くなる方向に後退可能に配置され、前進した状態で前記カバーに固定され、前進した状態で前記カバーに対する固定状態が解除されると、第２貫通孔に挿入された注射器を後退させるように設けられた固定ユニットとを含む注射器結合型安全組立体が提供される。
2019510521.tif 000002
【特許請求の範囲】
【請求項１】
注射器が進入するための空間部及び前記注射器の針が通過する第１貫通孔を有するカバーと、
前記針が装着された前記注射器のハブが挿入される第２貫通孔を有し、前記カバーの内部で前記第１貫通孔と近くなる方向に前進、かつ、前記第１貫通孔と遠くなる方向に後退可能に配置され、前進した状態で前記カバーに固定され、前進した状態で前記カバーに対する固定状態が解除されると、前記第２貫通孔に挿入された前記注射器を後退させるように設けられた固定ユニットとを含み、
前記カバーは前記第１貫通孔に前記針を通過させるように設けられた封止部材を含み、
前記封止部材は、前記注射器の前記針を通過させるための開口部を有し、前記カバーの中心軸方向に沿って延長され、前記第１貫通孔の内周面と接触するように設けられた溝部を有する封止部と、前記封止部から延長され、前記カバーの内周面に選択的に接触する係止部とを含む、注射器結合型安全組立体。
【請求項２】
前記固定ユニットが前進した状態で、前記注射器の前記針は前記第１貫通孔を通じて外部へ露出され、
前記固定ユニットが後退した状態で、前記注射器の前記針は前記第１貫通孔を通じてカバーの内部に位置するように設けられた、請求項１に記載の注射器結合型安全組立体。
【請求項３】
前記固定ユニットは、
前記第２貫通孔を有し、前記カバーの内部に封止式に滑走可能に配置された第１プランジャと、
前記第１プランジャと連結され、前記カバーに選択的に固定される一つ以上の固定部材と、
前記第１プランジャと前記第１貫通孔との間に配置された弾性部材とを含む、請求項１に記載の注射器結合型安全組立体。
【請求項４】
前記カバーは、前記固定ユニットが前進した状態で前記固定部材が挿入されるための第１固定孔及び固定ユニットが後退した状態で前記固定部材が挿入されるための第２固定孔をそれぞれ有する、請求項３に記載の注射器結合型安全組立体。
【請求項５】
前記弾性部材は前記カバー及び前記第１プランジャにそれぞれ固定され、
前記弾性部材は前記固定ユニットが後退される方向に復元力が作用するように設けられた、請求項３に記載の注射器結合型安全組立体。
【請求項６】
前記固定部材は、前記カバーの中心軸を基準として半径方向に弾性力が作用するように少なくとも一部の領域が曲がった、請求項４に記載の注射器結合型安全組立体。
【請求項７】
前記固定部材が前記第１固定孔に挿入及び固定されると、前記固定部材は一部の領域が前記第１固定孔の外部へ露出され、
半径方向に沿った外力が加えられると、前記固定部材が前記第１固定孔から分離され、前記固定部材は領域全体がカバーの内部に位置する、請求項６に記載の注射器結合型安全組立体。
【請求項８】
前記第１プランジャは前記第２貫通孔に前記注射器と噛み合うためのカップリング部を含む、請求項３に記載の注射器結合型安全組立体。
【請求項９】
前記カップリング部は、回転方式に噛み合うための螺旋部、嵌め込み方式に噛み合うための突起または溝である、請求項８に記載の注射器結合型安全組立体。
【請求項１０】
前記封止部材は、シリコン、ゴム材質、アクリル酸とビニルアルコールの共重合体及びセルロースとアクリロニトリル共重合体からなるグループから選ばれた一つ以上で形成された、請求項１に記載の注射器結合型安全組立体。
【請求項１１】
前記カバーには中心軸方向に沿って延長されたガイドレールが設けられ、前記カバーには前記ガイドレールに沿って移動可能に装着され、前記注射器のハウジングと噛み合うための固定体が設けられた、請求項１に記載の注射器結合型安全組立体。
【請求項１２】
ハウジングと前記ハウジングに装着されたハブと前記ハブに装着された針と前記ハウジングの内部に配置されたプランジャ及び前記プランジャと連結されたプランジャロッドを含む注射器と、
前記針を外部から保護するために前記注射器に分離可能に装着される注射器結合型安全組立体とを含み、
前記注射器結合型安全組立体は、前記注射器が進入するための空間部及び前記注射器の前記針が通過する第１貫通孔を有するカバーと、前記針が装着された前記注射器の前記ハブが挿入される第２貫通孔を有し、前記カバーの内部で前記第１貫通孔と近くなる方向に前進及び前記第１貫通孔と遠くなる方向に後退可能に配置され、前進した状態で前記カバーに固定され、前進した状態で前記カバーに対する固定状態が解除されると、前記第２貫通孔に挿入された前記注射器を後退させるように設けられた固定ユニットとを含み、
前記カバーは前記第１貫通孔に前記針を通過させるように設けられた封止部材を含み、
前記封止部材は、前記注射器の前記針を通過させるための開口部を有し、前記カバーの中心軸方向に沿って延長され、前記第１貫通孔の内周面と接触するように設けられた溝部を有する封止部と、前記封止部から延長され、前記カバーの内周面に選択的に接触される係止部とを含む、安全注射器。
【請求項１３】
前記カバーには中心軸方向に沿って延長されたガイドレールが設けられ、前記カバーには前記ガイドレールに沿って移動可能に装着され、前記注射器の前記ハウジングと噛み合うための第１螺旋部を有する固定体が設けられ、前記ハウジングには前記第１螺旋部と螺旋結合されるための第２螺旋部が設けられた、請求項１２に記載の安全注射器。
【請求項１４】
注射器が進入するための空間部及び前記注射器の針が通過する第１貫通孔を有するカバーと、
前記第１貫通孔に設けられ、前記注射器の前記針を通過させるように設けられた封止部材と、
前記注射器の前記針が装着されたハブが挿入される第２貫通孔を有し、前記カバーの内部で前記第１貫通孔と近くなる方向に前進及び前記第１貫通孔と遠くなる方向に後退可能に配置され、前記空間部内の前記注射器の前進による前進した状態で前記カバーに固定され、前進した状態で前記カバーに対する固定状態が解除されると、前記注射器を後退させるように設けられた固定ユニットとを含み、
前記封止部材は、前記注射器の前進過程で前記針が通過時、前記第１貫通孔に沿って前進方向に移動され、前記注射器の後退過程で前記針が通過時、前記第１貫通孔に沿って後退方向に移動されるように設けられ、
前記封止部材は、前記注射器の前記針を通過させるための開口部を有し、前記カバーの中心軸方向に沿って延長され、前記第１貫通孔の内周面と接触するように設けられた溝部を有する封止部と、前記封止部から延長され、前記カバーの内周面に選択的に接触される係止部とを含む、注射器結合型安全組立体。 
【請求項１５】
前記封止部には前記注射器の前進移動時、前記針の進入を案内するための第１傾斜面が設けられ、
前記針の進入時、前記封止部は前記カバーの中心軸方向に沿って前進移動されると同時に前記第１貫通孔の内周面側へ移動される、請求項１４に記載の注射器結合型安全組立体。
【請求項１６】
前記係止部が前記カバーの内周面に接触される場合、前記封止部の前進移動が制限される、請求項１４に記載の注射器結合型安全組立体。
【請求項１７】
前記封止部は前記溝部に第２傾斜面を有し、
前記第１貫通孔は内周面に前記第２傾斜面に形合する第３傾斜面を有し、
前記針の後退時に、前記第２傾斜面と前記第３傾斜面が接触する場合、前記封止部の後退移動が制限される、請求項１４に記載の注射器結合型安全組立体。
【請求項１８】
前記固定ユニットは、
第２貫通孔を有し、前記カバーの内部に封止式に滑走可能に配置された第１プランジャと、
前記第１プランジャと連結され、前記カバーに選択的に固定される一つ以上の固定部材と、
前記第１プランジャと連結され、前記封止部材に選択的に挿入される一つ以上の係止部材と、
前記第１プランジャと前記第１貫通孔との間に配置された弾性部材とを含む、請求項１４に記載の注射器結合型安全組立体。
【請求項１９】
前記固定ユニットの後退移動によって、前記係止部材により前記係止部の後退移動がなされる、請求項１８に記載の注射器結合型安全組立体。
【請求項２０】
前記針が前記カバーの内側へ後退する場合、前記封止部材により、前記第１貫通孔が封止される、請求項１４に記載の注射器結合型安全組立体。
【発明の詳細な説明】
【技術分野】
【０００１】
本発明は、注射器結合型安全組立体及びこれを含む安全注射器に関し、特に、注射器の針刺し事故を防止し、汚染物質を遮断させることができる注射器結合型安全組立体及びこれを含む安全注射器に関する。
【背景技術】
【０００２】
一般的に注射器は、採血または注射液の吸入または注入のために用いられる。最近、診療時にミスで発生し得る針刺し事故による感染から施術者を保護するための安全注射器に対する関心が高まっている。
【０００３】
一方、従来、注射針に対する安全処理のための方法としては、注射針を注射キャップに挿入して収納させる方法が用いられているが、挿入過程で注射針が不用意に施術者の手を刺してしまうことが頻繁に発生している。
【０００４】
したがって、注射針に対する安定性を確保することができ、作動が便利であり、製造原価を下げることができる安全注射器が要求される。また、使用済み注射針の場合、汚染物質の遮断のために、注射針を外部環境から封止する必要がある。
【発明の概要】
【発明が解決しようとする課題】
【０００５】
本発明は、注射器の針による刺傷及び感染を防止することができる注射器結合型安全組立体及びこれを含む安全注射器を提供することを解決しようとする課題とする。
【０００６】
また、本発明は使用性の向上のために、注射器の使用状態によって注射器に選択的に組み立て及び分離可能な注射器結合型安全組立体及びこれを含む安全注射器を提供することを解決しようとする課題とする。
【０００７】
また、本発明は施術済み注射器の針を収納状態で迅速かつ便利に転換させることができる注射器結合型安全組立体及びこれを含む安全注射器を提供することを解決しようとする課題とする。
【０００８】
また、本発明は施術が完了した後、針が収納された状態で針を外部環境から封止させることができる注射器結合型安全組立体及びこれを含む安全注射器を提供することを解決しようとする課題とする。
【課題を解決するための手段】
【０００９】
前述の課題を解決するために、本発明の一側面によれば、注射器が進入するための空間部及び前記注射器の針が通過する第１貫通孔を有するカバーと、針が装着された注射器のハブが挿入される第２貫通孔を有し、カバーの内部で第１貫通孔と近くなる方向に前進及び第１貫通孔と遠くなる方向に後退可能に配置され、前進した状態でカバーに固定され、前進した状態でカバーに対する固定状態が解除されると、第２貫通孔に挿入された注射器を後退させるように設けられた固定ユニットとを含む注射器結合型安全組立体が提供される。
【００１０】
また、本発明のまた他の側面によれば、ハウジングと前記ハウジングに装着されたハブと前記ハブに装着された針と前記ハウジングの内部に配置されたプランジャ及び前記プランジャと連結されたプランジャロッドを含む注射器と、前記針を外部から保護するために前記注射器に分離可能に装着される注射器結合型安全組立体とを含む安全注射器が提供される。
【００１１】
ここで、前記注射器結合型安全組立体は、前記注射器が進入するための空間部及び前記注射器の針が通過する第１貫通孔を有するカバーと、針が装着された注射器のハブが挿入される第２貫通孔を有し、カバーの内部で第１貫通孔と近くなる方向に前進及び第１貫通孔と遠くなる方向に後退可能に配置され、前進した状態でカバーに固定され、前進した状態でカバーに対する固定状態が解除されると、第２貫通孔に挿入された注射器を後退させるように設けられた固定ユニットとを含む。
【００１２】
また、本発明のまた他の側面によれば、注射器が進入するための空間部及び前記注射器の針が通過する第１貫通孔を有するカバーと、前記第１貫通孔に設けられ、注射器の針を通過させるように設けられた封止部材と、前記注射器の針が装着されたハブが挿入される第２貫通孔を有し、前記カバーの内部で第１貫通孔と近くなる方向に前進及び第１貫通孔と遠くなる方向に後退可能に配置され、前記空間部内の注射器の前進による前進した状態でカバーに固定され、前進した状態でカバーに対する固定状態が解除されると、注射器を後退させるように設けられた固定ユニットとを含み、前記封止部材は、注射器の前進過程で針が通過時、第１貫通孔に沿って前進方向に移動され、注射器の後退過程で針が通過時、第１貫通孔に沿って後退方向に移動されるように設けられた注射器結合型安全組立体が提供される。
【００１３】
また、本発明のまた他の側面によれば、ハウジングと前記ハウジングに装着されたハブと前記ハブに装着された針と前記ハウジングの内部に配置されたプランジャ及び前記プランジャと連結されたプランジャロッドを含む注射器と、前記針を選択的に収容するために前記注射器に分離可能に装着される注射器結合型安全組立体とを含む安全注射器が提供される。
【００１４】
ここで、前記注射器結合型安全組立体は、注射器が進入するための空間部及び前記注射器の針が通過する第１貫通孔を有するカバーと、前記第１貫通孔に設けられ、注射器の針を通過させるように設けられた封止部材と、前記注射器の針が装着されたハブが挿入される第２貫通孔を有し、前記カバーの内部で第１貫通孔と近くなる方向に前進及び第１貫通孔と遠くなる方向に後退可能に配置され、前記空間部内の注射器の前進による前進した状態でカバーに固定され、前進した状態でカバーに対する固定状態が解除されると、注射器を後退させるように設けられた固定ユニットとを含む。また、前記封止部材は、注射器の後退過程で針が通過時、第１貫通孔を封止するように設けられる。
【発明の効果】
【００１５】
以上のように、本発明の一実施例と関連した注射器結合型安全組立体及びこれを含む安全注射器は、次のような効果を有する。
【００１６】
採血、注射液の吸入及び注入と関連した施術が完了した注射器の針を収納状態で迅速かつ便利に転換させることができる。また、注射器結合型安全組立体は使用性の向上のために、注射器の使用状態によって注射器に選択的に組み立て及び分離可能である。したがって、注射器の針による刺傷及び感染を防止することができる。
【００１７】
また、施術が完了した後、針が収納された状態で、シリコンまたはゴム材質（例えば、ウレタンなど）で形成された封止部材を通じて針が収納された状態で針を外部環境から封止させることができる。
【図面の簡単な説明】
【００１８】
【図１】本発明の一実施例と関連した安全注射器の断面図である。
【図２】図１に示された注射器結合型安全組立体の一作動状態を説明するための断面図である。
【図３】図１に示された注射器結合型安全組立体の一作動状態を説明するための断面図である。
【図４】図１に示された注射器結合型安全組立体の一作動状態を説明するための断面図である。
【図５】図１に示された安全注射器の一作動状態を説明するための断面図である。
【図６】図１に示された安全注射器の一作動状態を説明するための断面図である。
【図７】図１に示された安全注射器の一作動状態を説明するための断面図である。
【図８】図１に示された安全注射器の一作動状態を説明するための断面図である。
【図９】図１に示された安全注射器の一作動状態を説明するための断面図である。
【図１０】図１に示された安全注射器の一作動状態を説明するための断面図である。
【図１１】ガイドレール及び固定体を説明するための平面図である。
【発明を実施するための形態】
【００１９】
以下、本発明の一実施例による注射器結合型安全組立体及びこれを含む安全注射器を添付の図面を参考して詳しく説明する。
【００２０】
また、図面符号に関係なく同一であるか対応する構成要素は、同一または類似の参照番号を付与し、これに対する重複説明は省略することとし、説明の便宜のために図示された各構成部材の大きさ及び形状は誇張または縮小されることができる。
【００２１】
図１は、本発明の一実施例と関連した安全注射器１の断面図である。
【００２２】
本発明の一実施例と関連した安全注射器１は、注射器１０及び注射器結合型安全組立体１００を含む。また、前記注射器１０は、一般的に広く用いられる注射器であって、例えば、前記注射器１０は、ハウジング１３と前記ハウジング１３に装着されたハブ１２（ｈｕｂ）と前記ハブ１２に装着された針１１と前記ハウジング１３の内部に配置されたプランジャ１４及び前記プランジャ１４と連結されたプランジャロッド１５とを含む。
【００２３】
本発明において、注射器結合型安全組立体１００は、前記注射器１０の針１１を外部から保護するために前記注射器１０に分離可能に装着される。具体的に、前記注射器結合型安全組立体１００は、前記注射器１０の針１１を選択的に収容するために前記注射器１０に分離可能に装着される。
【００２４】
図１によれば、注射器結合型安全組立体１００はカバー１１０と固定ユニット１３０を含む。図１における未説明の符号Ｃはカバー１１１の中心軸を示し、安全注射器１の中心軸とカバー１１０の中心軸は同一であり得る。本願で各構成要素の前進及び後退は、中心軸Ｃ方向と平行する図１のｙ軸方向に沿った移動を意味することができる。また、各構成要素の半径方向とは、図１のｘ軸方向を意味することができる。
【００２５】
また、図２〜図４は、図１に示された注射器結合型安全組立体１００の一作動状態を説明するための断面図である。
【００２６】
図２〜図４によれば、注射器結合型安全組立体１００は、注射器１０が進入するための空間部１１２及び前記注射器１０の針１１が通過する第１貫通孔１１１を有するカバー１１０及び針１１が装着された注射器１０のハブ１２が挿入される第２貫通孔１４１を有し、カバー１１０の内部で第１貫通孔１１１と近くなる方向に前進及び第１貫通孔１１１と遠くなる方向に後退可能に配置され、前進した状態でカバー１１０に固定され、前進した状態でカバー１１０に対する固定状態が解除されると、第２貫通孔１４１に挿入された注射器を後退させるように設けられた固定ユニット１３０を含む。ここで、前記第１貫通孔１１１のカバー１１０の中心軸Ｃ上に位置されることができる。また、前記第１貫通孔１１１と第２貫通孔１４１は同軸上に配列されることができる。
【００２７】
図２及び図３によれば、固定ユニット１３０が前進した状態で、注射器１０の針１１は第１貫通孔１１１を通じて外部へ露出されることができる。また、図４によれば、固定ユニット１３０が後退した状態で、注射器の針は第１貫通孔１１１を通じてカバー１１０の内部に位置するように設けられることができる。すなわち、固定ユニット１３０が前進した状態とは、針１１が注射器結合型安全組立体１００の外部へ露出した状態であって、採血または注射など針１１を通じて施術可能な状態を意味する。これとは異なって、固定ユニット１３０が後退した状態とは、施術が完了した後、針１１がカバー１１０の内部へ後退した状態を意味する。一方、後退過程で、固定ユニット１３０は第２貫通孔１４１に挿入された注射器１０と共に後退される。
【００２８】
すなわち、固定ユニット１３０は使用者の操作により、カバー１１０内で前進及び後退可能に配置され、固定ユニット１３０は前記注射器１０と分離可能に組み立てられる（または結合される）ことができる。また、前記固定ユニット１３０に注射器１０が挿入されて、固定ユニット１３０と注射器１０が結合されると、固定ユニット１３０と注射器１０は一体に移動される。
【００２９】
以下、注射器１０の針１１を後退させるための固定ユニット１３０を添付の図面を参照して具体的に説明する。 
【００３０】
図２によれば、前記固定ユニット１３０は第１プランジャ１４０と一つ以上の固定部材１５０及び弾性部材１６０を含むことができる。具体的に、前記第１プランジャ１４０は第２貫通孔１４１を有する。また、前記第１プランジャ１４０は前記カバー１１１の内部に封止式に滑走可能に配置される。また、前記固定部材１５０は前記第１プランジャ１４０と連結され、前記固定部材１５０は前記カバー１１１に選択的に固定される。また、前記固定部材１５０は一つ以上、すなわち、複数で備えられることができ、例えば、複数の固定部材１５０はカバー１１０の周方向に沿って所定の間隔で離れて配列されることができる。例えば、前記固定部材１５０はバー（ｂａｒ）形状を有することができ、少なくとも一部の領域が曲がることができる。また、前記弾性部材１６０は第１プランジャ１４０と第１貫通孔１１１との間に配置される。
【００３１】
また、カバー１１０は、固定ユニット１３０が前進した状態で前記固定部材１５０が挿入されるための第１固定孔１１３を有することができる。また、前記カバー１１０は、固定ユニット１３０が後退した状態で固定部材が挿入されるための第２固定孔１１４を有することができる。また、第１固定孔１１３と第２固定孔１１４は所定の間隔で離れて設けられることができ、前記第１固定孔１１３と第２固定孔１１４との間の間隔は、針１１の長さなどを考慮して適切に決定されることができる。また、カバー１１０は第１固定孔１１３のみを有することもできる。
【００３２】
弾性部材１６０はカバー１１０及び第１プランジャ１４０にそれぞれ固定されることができる。例えば、前記弾性部材１６０はコイルスプリングであり得る。また、弾性部材１６０は、前記固定ユニット１３０が後退される方向に復元力が作用するように設けられることができる。すなわち、固定ユニット１３０が前進されて、固定ユニット１３０が第１固定孔１１３に固定された状態（以下、「前進した状態」ともする）で、弾性部材１６０はｙ軸方向に圧縮され、固定ユニット１３０が第１固定孔１１３から分離されて固定ユニット１３０が後退されると、弾性部材１６０はｙ軸方向に沿って伸張され、弾性回復される。
【００３３】
一方、前記固定部材１５０は、カバー１１０の中心軸Ｃを基準として半径方向（ｘ軸方向）に弾性力が作用するように少なくとも一部の領域が曲がることができる。具体的に、固定部材１５０が第１固定孔１１３に挿入及び固定されると、固定部材１５０は一部の領域が第１固定孔１１３の外部へ露出される。
【００３４】
この時、使用者により半径方向に沿った外力が加えられると、固定部材１５０が第１固定孔１１３から分離され、固定部材１５０は領域全体がカバー１１１の内部に位置する。また、前記固定部材１５０が第１固定孔１１３から分離されることによって弾性部材１６０の復元力により固定ユニット１３０は後退される。前記固定部材１５０の領域全体がカバー１１１の内部に位置される場合、固定部材１５０はカバー１１０の半径方向に沿って圧縮された状態である。
【００３５】
以後、前記固定ユニット１３０の後退過程において、固定部材１５０が第２固定孔１１４を通過する過程で、固定部材１５０に作用する圧縮力が解除されることによって、固定部材１５０が第２固定孔１１４に挿入及び固定され、固定部材１５０は一部の領域が第２固定孔１１４の外部へ露出される。この時、固定ユニット１３０は後退した状態を保持することとなる。
【００３６】
一方、第１プランジャ１４０は、第２貫通孔１４１に注射器１０（具体的に、ハブ）と噛み合うためのカップリング部（ｃｏｕｐｌｉｎｇ  ｐｏｒｔｉｏｎ）を含むことができる。例えば、前記カップリング部は、回転方式に噛み合うための螺旋部、嵌め込み方式に噛み合うための突起または溝であり得る。これを通じて、前記注射器１０と固定ユニット１３０の結合力を増大させることができる。
【００３７】
一方、注射器１０と安全組立体１００の結合力を向上させるために、前記カバー１１１には中心軸Ｃ方向に沿って延長されたガイドレール１１６（図１１参照）が設けられ、前記カバー１１１には前記ガイドレール１１６に沿って移動可能に装着され、前記注射器１０のハウジング１３と噛み合うための固定体３００が設けられることができる。
【００３８】
前記カバー１１０は第１貫通孔１１１に針１１を通過させるように設けられた封止部材２００を含むことができる。このような封止部材２００は弾性、気密性及び耐食性などに優れた材質で形成されることができる。例えば、前記封止部材２００はシリコン、ウレタンのような弾性に優れたゴム材質で形成されることができる。また、封止部材２００は水分により体積が膨張する高吸水性高分子で形成されることができる。例えば、前記封止部材２００はアクリル酸とビニルアルコールの共重合体及びセルロースとアクリロニトリル共重合体で形成されることができる。要するに、封止部材２００は、シリコン、ゴム材質、アクリル酸とビニルアルコールの共重合体及びセルロースとアクリロニトリル共重合体からなるグループから選ばれた一つ以上で形成されることができる。 
【００３９】
また、封止部材２００は、針がカバー１１０の内部へ後退して収容された状態で、第１貫通孔１１１を封止するように設けられる。
【００４０】
図５〜図１０は、図１に示された安全注射器１の一作動状態を説明するための断面図であり、図１１は、ガイドレール１１６及び固定体３００を説明するための平面図である。前述のように、安全注射器１は注射器結合型安全組立体１００及び注射器１０を含む。本発明において、前記注射器結合型安全組立体１００は針１１を有する多様な構造の従来の注射器１０に全て適用可能である。
【００４１】
図５及び図１１によれば、前記カバー１１１には中心軸方向に沿って延長されたガイドレール１１６が設けられ、前記カバー１１１には前記ガイドレール１１６に沿って移動可能に装着され、注射器１０のハウジング１３と噛み合うための第１螺旋部を有する固定体３００が設けられることができる。また、前記ハウジング１０には第１螺旋部と螺旋結合されるための第２螺旋部１６が設けられることができる。例えば、固定体３００の第１螺旋部が雄ねじである場合、第２螺旋部１６は雌ねじで形成されることができ、これと反対に形成されることも可能である。前記第２螺旋部１６の形成位置及び固定体３００の配置位置は多様に決定されることができる。具体的に、ハウジング１３に設けられた目盛りまたは各種の表示と干渉を起こさない位置に第２螺旋部１６が設けられることができる。また、注射器１０を通じて吸入または投与しようとする血液または薬物の量（少量または大量）によって第２螺旋部１６の位置が多様に決定されることができる。また、固定体３００は第２螺旋部１６の位置に対応するように設けられることができる。
【００４２】
例えば、図１０によれば、前記ハウジング１０の第２螺旋部１６は前記ハウジング１０の先端部に設けられることができる。この時、前記固定体３００は前記第２螺旋部１６と噛み合い可能な位置に設けられることができる。
【００４３】
図５によれば、使用者は、前記固定ユニット１３０が前進した状態の注射器結合型安全組立体１００に注射器１０を挿入及び固定させることができる。注射器１０のハブ１２を第２貫通孔１４１に挿入させ、注射器または安全組立体１００を回転させることにより、固定体３００と第２螺旋部１６を結合させることができる。
【００４４】
もちろん、固定ユニット１３０が後退した状態でも、注射器１０のハブ１２を第２貫通孔１４１に挿入させながら、注射器１０を前進させることにより、前記固定ユニット１３０を前進状態に転換させ、前記注射器１０と安全組立体１００を結合させることもできる。具体的に、図１０の状態で、ハウジング１３の第２螺旋部１６と固定体３００の組み立てが完了すると、注射器１０を前進させることによって、弾性部材１６０を圧縮させ、係止部材１５０を第１固定孔１１３に挿入及び固定させることにより、固定ユニット１３０を前進状態に転換させることができる。以後、注射器１０を利用した施術が完了すると、前述のように、係止部材１５０を加圧することにより、第１固定孔１１３から係止部材１５０を分離させることによって、注射器１０を後退させ、同時に針１１を後退させてカバー１１の内部に位置させることができる。また、注射器１０（または固定ユニット）の前進状態のみを固定させようとする場合に、前記カバー１１０は第１固定孔１１３のみを有することができ、注射器１０の後退は第２固定孔１１４なしで弾性部材１７０の復元力のみでなされることもできる。
【００４５】
図６〜図８によれば、針１１は封止部材２００を通じて安全組立体１００の外部へ露出されることができ、使用者は注射器１０のプランジャロッド１５を操作して、薬物吸入、採血（図７参照)または薬物投与（図８参照）など施術を行うことができる。
【００４６】
一方、ガイドレール１１６は、カバー１１１の中心軸方向に延長された第１ガイド部１１６ｂとカバー１１１の周方向に延長された第２ガイド部１１６ａを含むことができる。具体的に、前記第１ガイド部１１６ｂの終端で、第２ガイド部１１６ａは第１ガイド部１１６ｂと直交するように延長されることができる。
【００４７】
この時、前記固定体３００が第１ガイド部１１６ｂに位置する場合、カバー１１１の中心軸方向に沿って移動可能な状態となる。これとは異なって、固定体３００が第２ガイド部１１６ａに位置する場合、前記固定体３００はカバー１１１の中心軸方向に沿って移動不可能な状態となる。すなわち、施術過程で、注射器１０が前後方向に流動することを防止するために、図７及び図８のように、固定ユニット１３０が前進した状態で、固定体３００が第２ガイド部１１６ａに位置することとなる。すなわち、使用者は、固定ユニット１３０が前進した状態で、注射器１０と固定体３００を結合させた後、注射器１０を回転させて、固定体３００を第２ガイド部１１６ａに位置させれば良い。 
【００４８】
また、固定ユニット１３０が注射器１０と共に後退される場合、注射器１０と噛み合った固定体３００は共に後退されなければならないため、施術が完了した後、使用者は注射器１０を回転させて、前記固定体３００を第１ガイド部１１６ｂに位置させることができる。
【００４９】
以下、添付の図面を参照して前記封止部材２００を具体的に説明する。
【００５０】
注射器結合型安全組立体１００は、前記第１貫通孔１１１に設けられ、注射器１０の針１１を通過させるように設けられた封止部材２００を含む。また、前記封止部材２００は、注射器１０の前進過程で針１１が通過時、第１貫通孔１１１に沿って前進方向に移動され（図８参照）、注射器１０の後退過程で針１１が通過時、第１貫通孔１１１に沿って後退方向に移動（図４参照）されるように設けられる。また、前記封止部材２００は、前記注射器１０（または固定ユニット１３０）の後退過程で針１１が通過すると、第１貫通孔１１１を封止するように設けられる。
【００５１】
具体的に、前記封止部材２００は針１１を通過させるための開口部２３０を有する。また、前記開口部２３０の直径は封止部材２００の前進及び後退移動によって可変することができる。
【００５２】
前記封止部材２００は、封止部２２０及び係止部２１０を含む。前記係止部２１０は封止部２２０から所定の角度で傾くように延長され、例えば、前記係止部２１０は封止部２２０と直交するように設けられることができる。前記係止部２１０は挿入孔２１１を有することができる。
【００５３】
具体的に、それぞれの封止部材２００は、注射器１０の針１１を通過させるための開口部２３０を有し、カバー１１０の中心軸Ｃ方向に沿って延長され、第１貫通孔１１１の内周面と接触するように設けられた溝部２２１を有する封止部２２０及び前記封止部２２０から延長され、カバー１１１の内周面に選択的に接触される係止部２１０を含むことができる。
【００５４】
前記封止部２２０は中空（開口部）の円柱形状を有することができる。また、封止部２２０はカバー１１０の中心軸Ｃ方向に沿ってその厚さが異なり得る。すなわち、前記溝部２２１では他の領域より厚さが小さくなる。前記係止部２１０は前記封止部２２０より大きい直径を有するプレート形状（円形、楕円形または多角形）を有することができる。また、前記封止部２２０と係止部２１０は一体に形成されることができる。前記開口部２３０は封止部２２０と係止部２１０を一体に貫通するように設けられる。
【００５５】
また、前記封止部２２０には、注射器１０の前進移動時、針１１の進入を案内するための第１傾斜面２２３が設けられることができる。図３及び図６によれば、針１１の進入時、封止部２２０はカバー１１１の中心軸Ｃ方向に沿って前進移動されると同時に第１貫通孔１１１の内周面側へ移動されることができる。この時、封止部材２００は、開口部２３０の直径が多少増加することができ、その内部へ針１１が容易に進入することができる。この時、係止部２１０がカバー１１１の内周面に接触される場合、封止部２２０の前進移動が制限される。
【００５６】
また、前記封止部２２０は溝部２２１に第２傾斜面２２２を有し、前記第１貫通孔１１１は内周面に前記第２傾斜面２２２に形合（形状合わせ）する第３傾斜面１１５を有することができる。この時、前記針１１の後退時、前記第２傾斜面２２２と第３傾斜面１１５が接触する場合、封止部２２０の後退移動が制限されることができる。また、前記封止部２２０の後退移動と第２傾斜面２２３及び第３傾斜面１１５の接触により、第１貫通孔１１１の内周面により、封止部２２０は中心軸方向に加圧され、封止部２２０は開口部２３０の直径が減少することによって、第１貫通孔１１１を封止することとなる。 
【００５７】
また、封止部２２０の後退移動を補助するために、固定ユニット１３０は前記第１プランジャ１４０と連結され、前記封止部材２００に選択的に挿入される一つ以上の係止部材１７０を含むことができる。前記係止部材１７０は封止部２２０の安定的な後退の案内のために、複数で備えられることもできる。
【００５８】
また、前記係止部材１７０は封止部材２００の係止部２１０に挿入されることができる。具体的に、前述の係止部２１０の挿入孔２１１に係止部材１７０が挿入されることができる。この時、係止部材１７０は嵌め込み方式に挿入孔２１１に挿入されることができ、挿入孔２１１と係止部材１７０の所定の摩擦力を通じて、係止部材１７０の後退移動時、封止部材２００を後退させることができる。また、前記係止部材１７０は前記挿入孔２１１に噛み合う構造を有することもできる。したがって、固定ユニット１３０の後退移動によって、係止部材１７０により係止部２１０の後退移動がなされることができる。また、針１１がカバー１１０の内側へ後退する場合、すなわち、針１１が封止部材２００から分離されると、封止部材２００により、第１貫通孔１１１が封止されることができる。すなわち、第２傾斜面２２２と第３傾斜面１１５の接触により、開口部２３０の直径は小さくなる。
【００５９】
これまでは、封止部材２００が単一部材で形成されたことを例として説明したが、前記封止部材２００は前記カバー１１０の中心軸Ｃを基準として、周方向に沿って複数の封止片（例えば、一対）に分割されることができる。それぞれの封止片は前記カバー１１０の中心軸Ｃを基準として、周方向に沿って分割された形状の封止部２２０と係止部２１０を含むことができる。
【００６０】
前述のような本発明の好ましい実施例は、例示の目的のために開示されたものであり、本発明に対する通常の知識を有する者であれば、本発明の思想と範囲内で様々な修正、変更、付加が可能であり、このような修正、変更及び付加は下記の特許請求の範囲に属するものと見なすべきである。
【産業上の利用可能性】
【００６１】
本発明によれば、注射器結合型安全組立体は使用性の向上のために、注射器の使用状態によって注射器に選択的に組み立て及び分離可能である。
したがって、注射器の針による刺傷及び感染を防止することができる。
【図１】
2019510521.tif 000003
【図２】
2019510521.tif 000004
【図３】
2019510521.tif 000005
【図４】
2019510521.tif 000006
【図５】
2019510521.tif 000007
【図６】
2019510521.tif 000008
【図７】
2019510521.tif 000009
【図８】
2019510521.tif 000010
【図９】
2019510521.tif 000011
【図１０】
2019510521.tif 000012
【図１１】
2019510521.tif 000013
【国際調査報告】
2019510521.tif 000014
2019510521.tif 000015
2019510521.tif 000016
2019510521.tif 000017